(57)【要約】【課題】小型で、直流抵抗値が小さいコイル部品を提供すること。【解決手段】金属平板１６を打ち抜き、これを折り曲げることにより得られるコイル部品において、打ち抜き工程において、パターン１５を半分に分け、一方を金属平板１６の第１の面から打ち抜き、残りを金属平板１６の第１の面とは反対側の面から打ち抜いたものであり、このようにすることにより、内部ショートを発生させることがなく、直流抵抗値が小さく、小型のコイル部品を得ることを可能とする。【選択図】図１
2010073715.tif 000002
【特許請求の範囲】
【請求項１】
切欠部を形成した複数のリング部と、前記リング部の端部に形成し複数の前記リング部を連接したリング連接部と、前記リング部と連接されていない前記リング部の端部に接続した端子部とを含む所定のパターンを、金属平板を打ち抜くことにより形成する打ち抜き工程と、複数の前記リング部が上下に重なり合うように前記リング連接部で折曲してコイル部を形成する折り曲げ工程と、前記コイル部を外装部で被覆するとともに、前記コイル部に接続した端子部の一部を前記外装部から突出させる外装部形成工程とを備え、前記打ち抜き工程において、前記パターンを半分に分け、一方を前記金属平板の第１の面から打ち抜き、残りを前記金属平板の第１の面とは反対側の面から打ち抜いたコイル部品の製造方法。
【請求項２】
金属平板を打ち抜くパターンを中央に対して対称になるように設定し、第１の面から打ち抜くときと、前記第１の面とは反対側の面から打ち抜くときに同じ金型を用いる請求項１記載のコイル部品の製造方法。
【発明の詳細な説明】
【技術分野】
【０００１】
本発明は、特にパワーチョークコイルとして各種電子機器等に用いられるコイル部品の製造方法に関するものである。
【背景技術】
【０００２】
近年コンピュータ等の電源回路に用いるパワーチョークコイルとしては、電源回路の動作周波数領域が３００ｋＨｚ〜１ＭＨｚ程度の高周波領域で１μＨ程度のインダクタンス値、数ｍΩ程度の直流抵抗値を確保しつつ、１０数Ａ程度の大電流に対応したものが求められている。さらに小型で、特性バラツキの少ないものへの要望が強くなってきている。
【０００３】
以下従来のコイル部品について図面を参照しながら説明する。
【０００４】
図４は従来のコイル部品の斜視図、図５は図４のＡ−Ａ線断面図、図６は同コイル部品の複数のリング部を平面状に配置したコイル部の平面図、図７は同コイル部品の複数のリング部を上下に重ねたコイル部の斜視図である。
【０００５】
図４〜図７において従来のコイル部品は、互いにリング連接部１で連接し平面状に配置した金属平板からなる複数のリング部２を、前記リング連接部１で折り曲げるとともに互いに上下に重ね合わせて形成したコイル部３と、絶縁性樹脂と磁性粉末とを混合したものでコイル部３を内包するとともに加圧成形した磁性体部４と、コイル部３の両端部を磁性体部４から突出させた端子部５とを備えていた。
【０００６】
なお、この出願の発明に関連する先行技術文献情報としては、例えば特許文献１が知られている。
【特許文献１】特開２００４−１１１４５６号公報
【発明の開示】
【発明が解決しようとする課題】
【０００７】
しかしながら従来の構成では、端子部５に対向する部分のリング部２が、端子部５にショートしないように、リング部２を狭くして逃がし部６を設ける必要があり、これが直流抵抗値の増加につながっていた。
【０００８】
本発明は、これらの課題を解決し、端子部とリング部とのショートを発生させることがなく、小型で、直流抵抗値の小さいコイル部品を提供するものである。
【課題を解決するための手段】
【０００９】
上記目的を達成するために本発明は、切欠部を形成した複数のリング部と、リング部の端部に形成し複数のリング部を連接したリング連接部と、リング部と連接されていないリング部の端部に接続した端子部とを含む所定のパターンを、金属平板を打ち抜くことにより形成する打ち抜き工程と、複数のリング部が上下に重なり合うようにリング連接部で折曲してコイル部を形成する折り曲げ工程と、コイル部を外装部で被覆するとともに、コイル部に接続した端子部の一部を外装部から突出させる外装部形成工程とを備え、打ち抜き工程において、パターンを半分に分け、一方を金属平板の第１の面から打ち抜き、残りを金属平板の第１の面とは反対側の面から打ち抜いたものである。
【発明の効果】
【００１０】
本発明によると、端子部とリング部とのショートを発生させることがなく、小型で、直流抵抗値の小さいコイル部品を得ることができる。
【発明を実施するための最良の形態】
【００１１】
以下本発明のコイル部品の製造方法について図面を参照しながら説明する。
【００１２】
図１は本発明の一実施の形態におけるコイル部品の製造工程図である。また図２は打ち抜き工程について詳細に説明するための図であり、打ち抜き部分を拡大した断面図である。さらに図３は、打ち抜いたパターンを折り曲げ加工した状態の断面図である。
【００１３】
まず図１（ａ）のように、切欠部１１を形成した複数のリング部１２と、リング部１２の端部に形成し複数のリング部１２を連接したリング連接部１３と、リング部１２と連接されていないリング部１２の端部に接続した端子部１４とを含む所定のパターン１５のうち半分を、銅からなる金属平板１６を金型を用いて打ち抜く。このときの打ち抜き型が入る方の金属平板１６の面を第１の面とする。
【００１４】
次に金属平板１６を裏返しにし、第１の面とは反対側の面から、パターン１５の残り半分を打ち抜くことにより、図１（ｂ）のようにパターン１５が得られる。そのあと打ち抜き工程により発生したパターン１５のバリをブラスト等の手段によるバリ取り加工を行い、リング部１２の表面に絶縁材を塗布するなどして絶縁層（図示していない）を設ける。
【００１５】
次に図１（ｃ）のように、複数のリング部１２を上下に重ね合わせるようにリング連接部１３で折曲することでコイル部１７を形成する。
【００１６】
次に図１（ｄ）のように、コイル部１７を外装部１８で被覆する（外装部形成工程）。この工程では、成形金型２０にコイル部１７と、このコイル部１７を挟み込むように絶縁性樹脂と磁性粉末とを混合したものとを入れ、上下のパンチ２１で図１（ｄ）の矢印の方向に加圧成形して外装部１８を形成した加圧成形工程と、外装部１８を熱処理して熱硬化する熱硬化工程（図示していない）とを有している。
【００１７】
次に図１（ｅ）のように、端子部１４を折り曲げ加工することにより、コイル部品を得る。
【００１８】
ここで打ち抜き工程について再度詳細に説明する。図２（ａ）は金属平板１６を上から金型により打ち抜いた時の断面図である。打ち抜き型が入る方の面を抜き側、その反対側を反抜き側とすると、図２（ａ）の上側が抜き側、下側が反抜き側となり、抜き側の方がエッジが丸くなり、反抜き側の方にバリが出る形となる。これをブラスト等の手段によりバリ取り加工を行なうと、図２（ｂ）のように、反抜き側の方はバリが取られた形となり、一方抜き側の方は角が取られてテーパ状となる。
【００１９】
通常金型で打ち抜く場合、パターン全体を打ち抜くが、打ち抜いたパターン１５を折り曲げてコイル部１７を形成する場合、リング部１２同士あるいは、端子部１４とリング部１２が対向する部分で、反抜き側同士すなわちバリが向き合うところが生じてくる。バリによりショートが発生しないようにバリ取りを行なうが、バリを取る量が多くなりすぎると、全体的に削られ、コイル部品の直流抵抗値が大きくなるため望ましくない。また、このショートを避けるために、端子部１４に対向する部分のリング部１２に逃がし部１９を設けているが、これも同様に直流抵抗値が大きくなる原因となる。
【００２０】
これに対し本発明では、パターン１５を半分に分け、一方と他方を、抜き側が反対になるようにしているため、図３のように端子部１４とリング部１２が対向する部分では、端子部１４はいずれも抜き側となり、またリング部１２も抜き側となる。したがって端子部１４とリング部１２と対向する部分では、いずれもエッジにテーパが設けられた状態となり、ショートしにくくなるため、逃がし部１９を設けない、あるいは設けても最小限ですむため、直流抵抗値を低くすることができる。またリング部１２同士においても、反抜き側同士になることはないので、リング部１２同士のショートを防止することができる。
【００２１】
また図１（ｂ）のように、パターン１５は、中央に対して線対称になるように設定されている。このようにすることにより、第１の面から打ち抜く時と、残りの部分を第１の面とは反対側の面から打ち抜く時で、同じ金型を用いることができ、所定の大きさの半分の大きさの金型ですむため、金型の費用を節減することができるという効果も生まれる。
【産業上の利用可能性】
【００２２】
本発明のコイル部品は、リング部と端子部およびリング部同士のショートを発生させることがなく、直流抵抗値が小さく、小型のものが得られるため、各種電子機器への使用に最適である。
【図面の簡単な説明】
【００２３】
【図１】本発明の一実施の形態におけるコイル部品の製造工程図
【図２】本発明の一実施の形態におけるコイル部品の打ち抜き部分を拡大した断面図
【図３】本発明の一実施の形態におけるコイル部品の打ち抜いたパターンを折り曲げ加工した状態の断面図
【図４】従来のコイル部品の斜視図
【図５】図４のＡ−Ａ線断面図
【図６】従来のコイル部品の複数のリング部を平面状に配置したコイル部の平面図
【図７】従来のコイル部品の複数のリング部を上下に重ねたコイル部の斜視図
【符号の説明】
【００２４】
１１  切欠部
１２  リング部
１３  リング連接部
１４  端子部
１５  パターン
１６  金属平板
１７  コイル部
１８  外装部
１９  逃がし部
２０  成形金型
２１  パンチ
【図１】
2010073715.tif 000003
【図２】
2010073715.tif 000004
【図３】
2010073715.tif 000005
【図４】
2010073715.tif 000006
【図５】
2010073715.tif 000007
【図６】
2010073715.tif 000008
【図７】
2010073715.tif 000009